(57)【特許請求の範囲】
【請求項１】
通常の生活において近視矯正を必要とせず、少なくとも屈折値が暗所視でプラスとならず暗所視での屈折値から明所視での屈折値を差し引いた値がマイナスとなる人のためのサングラス用のレンズの設計方法であって、
−０．７５ディオプター〜０ディオプターの範囲でＳ度数のみをレンズに設定し、Ｃ度数を設定しないようにするとともに、−０．７５ディオプター〜０ディオプターの範囲内において前記サングラス用のレンズの透過率が高いほどより高いＳ度数を設定するようにしたことを特徴とする近視矯正を必要としない人のためのサングラス用のレンズの設計方法。
【請求項２】
Ｓ度数を−０．５０〜−０．２５ディオプターの間に設定することを特徴とする請求項１に記載の近視矯正を必要としない人のためのサングラス用のレンズの設計方法。
【請求項３】
Ｓ度数を−０．２５ディオプターに設定することを特徴とする請求項１に記載の近視矯正を必要としない人のためのサングラス用のレンズの設計方法。
【発明の詳細な説明】
【技術分野】
【０００１】
本発明は、通常の生活において特に眼鏡やコンタクトレンズによって近視を矯正する必要のない視力の人が装用するサングラス用のレンズの設計方法に関するものである。
【背景技術】
【０００２】
サングラスはファッション的に装用したり、日中に紫外線から目を保護するため装用したりする。かつてはかなり可視光透過率の低いもの、例えば５０％以下の可視光透過率のレンズが多かったが、最近では透明なレンズに若干色がついているといった程度の可視光透過率が８０％程度のレンズを使用したサングラスもある。サングラスはフレームにレンズを嵌めた眼鏡上場のものから装用する眼鏡にクリップで取り付けるタイプのものやスキーのゴーグルタイプのもの等様々な形態が提案されている。サングラス用のレンズの一例として特許文献１を示す。
サングラスを装用する場合、通常の生活において眼鏡やコンタクトレンズによって近視を矯正する必要がある人がその矯正のための眼鏡やコンタクトレンズをせずにサングラスを装用する場合には、そのサングラス用のレンズにはその人の視力に応じたレンズ度数（Ｓ度数やＣ度数）を設定する必要がある。一方、通常の生活において近視矯正を特に必要としない人であれば、サングラス用のレンズには敢えてレンズ度数を設定することはない。つまり、その場合にはレンズの透過率のみが低く設定された視力矯正機能のないレンズとなるはずである。
【先行技術文献】
【特許文献】
【０００３】
【特許文献１】登録実用新案第３００４２６２号公報
【発明の概要】
【発明が解決しようとする課題】
【０００４】
ところが、通常の生活において近視矯正を特に必要としない人であっても、実際には暗くなると周囲の景色が見えにくくなっているという潜在的な近視の人がいる。これは、暗くなることで眼に入る光の量、つまり視覚情報が少なくなるため眼の屈折力の調節が正確でなくなることや、暗くなることで瞳孔が拡大し、水晶体の球面収差が発現しやすくなる等が原因で生じるものと考えられている。
そのため、このような潜在的な近視の人にとってはサングラスを装用する場合には本来その人についての暗い場所における視力を測定し、矯正したレンズ度数を設定したサングラスを使用するべきである。しかし、実際には通常の生活においてすら近視を矯正していない人が敢えてサングラスを装用するためだけに自身のサングラスを装用した場合の視力を測定してそれに応じた矯正をするということはわざわざすることはない。そのため、従来では暗くなると周囲の景色が見えにくくなるという潜在的な近視の人であっても近視矯正をしていないレンズのサングラスを使用しなければならなかった。
本発明は、このような従来の技術に存在する問題点に着目してなされたものである。その目的は、暗くなると周囲の景色が見えにくくなるという潜在的な近視の人において特に有利なサングラス用のレンズの設計方法を提供することにある。
【課題を解決するための手段】
【０００５】
上記課題を解決するために第１の手段として、通常の生活において近視矯正を必要とせず、少なくとも屈折値が暗所視でプラスとならず暗所視での屈折値から明所視での屈折値を差し引いた値がマイナスとなる人のためのサングラス用のレンズの設計方法であって、−０．７５ディオプター〜０ディオプターの範囲でＳ度数のみをレンズに設定し、Ｃ度数を設定しないようにするようにしたことをその要旨とする。
【０００６】
上記手段によれば、近視矯正を必要としないにも関わらず暗くなると周囲の景色が見えにくくなる人が、このような設計のサングラスを使用した場合には、過矯正を感じることなく、かつ矯正をしない場合に比べて焦点が定まって景色がぼけることなく見えることとなる。近視矯正を必要としないにも関わらず暗くなると周囲の景色が見えにくくなる人のサングラスとして一般に使用可能な透過率の範囲のレンズにおいては、好適な近視矯正度数として−０．７５ディオプターよりもＳ度数が小さくなることはほとんどない。また、Ｃ度数を設定しないようにすることで、設計が容易で様々な種類の近視矯正したレンズを設計しなくともほとんどの近視矯正を必要としない人のサングラスのレンズとして好適な度数のレンズを提供することが可能となる。また、マイナスのＣ度数のみを有する人においてもこのようなレンズを装用することで近視矯正されることとなる。
このレンズは特に暗いところでの眼の屈折値（Ｓ度数＋（Ｃ度数／２））がプラスとならず、暗所視での屈折値から明所視での屈折値を差し引いた値がマイナスである人に適用される。
上記において「−０．７５ディオプター〜０ディオプター」という場合には−０．７５ディオプタと±０ディオプターをいずれも含む概念である（つまり「〜」はその両端の数値を含む）。また、レンズは単焦点を意図している。
本発明における「通常の生活において近視矯正を必要とせず」とは、日常的に眼鏡やコンタクトレンズによって近視を矯正していないことをいう。
尚、近視とはその人の屈折力においてＳ度数がマイナスとなる場合であって、はっきりと見える最も遠い物体から眼までの距離数（ｃｍ）を１００で割った逆数として算出する。この単位をディオプターという。近視をレンズによって矯正するとはレンズをかけた状態でＳ度数が０ディオプターとなる正視状態にすること（近づけること）をいう。眼鏡やコンタクトレンズによって視力の矯正をしていない人が必ずしも±０ディオプターの視力であるわけではなく、一般に−０．５〜＋０．５ディオプター程度であれば視力の矯正の必要はない。
【０００７】
また、第２の手段として、Ｓ度数を−０．５０〜−０．２５ディオプターの間に設定することをその要旨とする。
好適な近視矯正として−０．７５ディオプターよりもＳ度数が小さくなることはないが、特にこの範囲であればより多くの近視矯正を必要としない人に好適となる。
また、第３の手段として、Ｓ度数を−０．２５ディオプターに設定することを特徴とすることをその要旨とする。このように設定することで、より多くの近視矯正を必要としない人に好適となる。特にレンズの透過率が高い場合によい。
また、第４の手段として、−０．７５ディオプター〜０ディオプターの範囲内において前記サングラス用のレンズの透過率が高いほどより高いＳ度数を設定するようにしたことをその要旨とする。
つまり、サングラス用のレンズの色を濃くしてレンズの透過率が低くなるような場合には−０．７５ディオプター〜０ディオプターの範囲内においてＳ度数を高くし、逆にあまりレンズの色が濃くなく普通の色のついていないレンズに近づくほど−０．７５ディオプター〜０ディオプターの範囲内においてＳ度数を低くするような設定である。レンズの色が濃いほど近視矯正を必要としないにも関わらず暗くなると周囲の景色が見えにくくなる傾向が大きくなるためである。
【発明の効果】
【０００８】
本発明によれば、暗くなると周囲の景色が見えにくくなるという潜在的な近視の人において特に有利なサングラス用のレンズを提供することができる。
【図面の簡単な説明】
【０００９】
【図１】横軸を３ｍｍ瞳孔時の屈折値とし、縦軸を５ｍｍ瞳孔時の屈折値から３ｍｍ瞳孔時の屈折値を差し引いた値とした散布図。
【発明を実施するための形態】
【００１０】
以下、本発明について眼鏡やコンタクトレンズによって視力の矯正をしていない人の明所視と暗所視を分析した結果に基づいて具体的に説明する。
（１）明所視と暗所視での瞳孔径の大きさの違い
サングラスを装用した場合とそうでない場合の瞳孔径の大きさを検証し、瞳孔径の変化が明所と暗所での見やすさの違いにどのような因果関係を有するかを判断するためである。
眼鏡やコンタクトレンズによって視力の矯正をしていない１８人の被験者に対して、１７０ｌｕｘ以上の照度を確保して明所視において通常の屈折検査を行った後に、非常に暗い夜間をイメージした透過率の極めて低いレンズ（視感透過率６％）のサングラスを装用した状態で再度屈折検査を行った。その結果を表１に示す。この結果、明所視では３．６ｍｍであり、暗所視では５．８ｍｍに拡大した。拡大率は１６４％であった。この暗所視の条件は実際には暗すぎて通常サングラス用のレンズとすることはない場合である。尚、普通の日本人の最大の瞳孔径（月のない夜間等の条件で）は７ｍｍ程度である。
【００１１】
【表１】
0006413062.tif 000002
【００１２】
（２）瞳孔変化に伴う自覚的屈折値の変化
上記のレンズのサングラスを装用させた際の装用者の自覚的な見やすさについて検証した。つまり、暗くなると周囲の景色が見えにくくなる人がどの程度の割合で存在し、その人たちにはどのような屈折異常が発現するかを検証した。
眼鏡やコンタクトレンズによって視力の矯正をしていない４２人の被験者に対して、サングラスを装用していない時（上記（１）の明所視での見え方）との自覚的な比較をＳ度数の測定とともに行った。Ｓ度数の測定は各人について上記の明所視と暗所視の状態でトライアルレンズを用いて測定し、暗所視のＳ度数から明所視のＳ度数を差し引いて差を求めるようにした。その結果、表２に示すように、「夜、見づらいと感じる群」は１８人、「夜、見づらいと感じない群」は２４人であった。そしてそれぞれの群についてＳ度数の差の平均を求めたところ、前者では−０．３１ディオプターであり、後者では−０．０８ディオプターであった。この結果から、夜、見づらいと感じる人は瞳孔が大きくなることに伴って近視の屈折異常が大きく発現していると考えられる。但し、ここではあくまで平均値で算出しているため、近視の度合いのばらつき度合いはよく分からない。
【００１３】
【表２】
0006413062.tif 000003
【００１４】
（３）瞳孔変化に伴う他覚的屈折値の変化
上記（２）では自覚的に見づらいと感じるかどうかを検証した。しかし、他覚的（つまり、客観的）に明所視と暗所視でどのような眼の屈折値の違いがあるのか不明である。また、上記のような平均値だけではサングラス用のレンズにどの程度のＳ度数を設定すればよいのかは分かりにくい。そのため、発明者は屈折力解析装置（ニデック社製：ＯＰＤ−ｓｃａｎII）を用いて眼鏡やコンタクトレンズによって視力の矯正をしていない３６人の被験者に対して３ｍｍ瞳孔時と５ｍｍ瞳孔時の屈折値（Ｓ度数＋（Ｃ度数／２））を測定し図１のような散布図を作成し、これを検証した。左右各眼について行ったがここでは左目のデータを示す。
図１は横軸（ｘ軸）を３ｍｍ瞳孔時の屈折値（Ｓ度数＋（Ｃ度数／２））とし、縦軸（ｙ軸）を５ｍｍ瞳孔時の屈折値から３ｍｍ瞳孔時の屈折値を差し引いた値とした散布図である（単位はディオプター）。この図を分析すると、第三象限（x 座標とy 座標とがともに負の値）に属する被験者が最も多く、他覚的に暗所視で見えにくくなる人たちであるといえる。第二象限と第四象限は暗所視の方がむしろ正視に近い状態となるため、これらの被験者には近視を矯正したサングラスは不要である。第一象限は特異なケースと考えられる。
【００１５】
そこで今、第三象限の縦軸（ｙ軸）を見ると、矯正すべき屈折値はいずれも−０．７５ディオプター〜０ディオプターの間にある。この結果から、暗くなると周囲の景色が見えにくくなる人たちのためのサングラス用のレンズに与えるＳ度数としては−０．７５ディオプター〜０ディオプターとすることがよいと判断できる。特に−０．５ディオプター〜０．２５ディオプターの間にあることがよい。
しかし、この結果は屈折値でありＣ度数を数値に含むものである。そのため、この結果に基づいてそのままＳ度数の単独値として反映することがよいかどうか、つまり暗所視においてマイナスのＣ度数のみを有する人に対してこのような弱いＳ度数のみを与えたレンズのサングラスを装用させても近視が改善されるかどうかについて検証する。今、明所視でのＳ  ±０、Ｃ  −０．０で、暗所視でＳ  ±０、Ｃ  −０．５の被験者が居ると仮定する（以下、被験者Ａとする）。この被験者Ａの屈折値は−０．２５であり、第三象限にふくまれる。この被験者ＡがＳ−０．２５の度数を与えたレンズをサングラス用レンズとして装用する場合を想定する。その結果、暗所視でＳ  ＋０．２５、Ｃ  ±０となり、Ｓ度数がプラス方向に変位するものの絶対値において０．５であったＣ度数が小さくなるため、全体の見え方としては改善されることとなる。そのため、図１の結果から屈折値において第三象限に含まれる人のサングラス用のレンズをＳ度数として−０．７５ディオプター〜０ディオプターとすることは妥当である。
尚、実際のサングラス用レンズを装用した場合でも５ｍｍ瞳孔となることはまれである。それはサングラスの周囲からも間接的に瞳孔に光が達するため、実際には暗すぎて実用に適さない透過率が非常に小さなサングラス用レンズであっても５ｍｍ瞳孔よりも小さな瞳孔を維持している。そのため、第三象限においてサンプルが−０．７５ディオプター以下の位置となる可能性はない。
【図１】
0006413062.tif 000004